(57)【要約】【課題】テレビ会議中に居眠りをした出席者がテレビ会議の内容を把握できなくなるのを抑制することが可能なテレビ会議端末を提供する。【解決手段】このテレビ会議端末１は、テレビ会議における自己側画像を撮像するためのカメラ１１と、カメラ１１によって撮像された自己側画像に基づいて、テレビ会議における自己側の出席者２の状態を検知する居眠り検知部１８とを備え、居眠り検知部１８の検知結果に基づいて自己側の出席者２に居眠りの虞があると判断した際に、居眠りの虞があると判断された出席者２ａを起こすように構成されている。【選択図】図７
2012065211.tif 000002
【特許請求の範囲】
【請求項１】
テレビ会議における自己側画像を撮像するための撮像部と、
前記撮像部によって撮像された前記自己側画像に基づいて、前記テレビ会議における自己側の出席者の状態を検知する検知部とを備え、
前記検知部の検知結果に基づいて前記自己側の出席者に居眠りの虞があると判断した際に、居眠りの虞があると判断された前記自己側の出席者を起こすように構成されている、テレビ会議端末。
【請求項２】
前記居眠りの虞があると判断された自己側の出席者を起こすための刺激を、前記自己側の出席者に対して出力する警告部をさらに備える、請求項１に記載のテレビ会議端末。
【請求項３】
前記撮像部によって撮像された前記自己側画像を記憶する第１記憶部をさらに備え、
前記自己側の出席者に居眠りの虞があると判断した際に、現在、前記撮像部により撮像されている前記自己側画像の代わりに、前記第１記憶部に記憶された、居眠りの虞があると判断される前の過去の前記自己側画像を前記テレビ会議の相手側端末に対して送信するように構成されている、請求項１または２に記載のテレビ会議端末。
【請求項４】
前記テレビ会議の相手側端末から受信した相手側情報を記憶する第２記憶部と、
前記相手側情報を出力する出力部とをさらに備え、
前記居眠りの虞があると判断された自己側の出席者を起こした後に、前記第２記憶部に記憶された、居眠りの虞があると判断された時点からの前記相手側情報を前記出力部から出力するように構成されている、請求項１〜３のいずれか１項に記載のテレビ会議端末。
【請求項５】
前記検知部の検知結果に基づいて前記居眠りの虞があると判断された自己側の出席者が起きたと判断した際に、前記第２記憶部に記憶された、前記居眠りの虞があると判断された時点からの前記相手側情報の前記出力部からの出力を開始するように構成されている、請求項４に記載のテレビ会議端末。
【発明の詳細な説明】
【技術分野】
【０００１】
この発明は、テレビ会議端末に関し、特に、テレビ会議に用いられるテレビ会議端末に関する。
【背景技術】
【０００２】
従来、テレビ会議に用いられる複数のテレビ会議端末からなるテレビ会議システムが知られている（たとえば、特許文献１参照）。
【０００３】
上記特許文献１には、複数の会議端末と、複数の会議端末から送信される画像データおよび音声データなどのデータ処理を行う会議サーバと、会議中のデータ（画像データおよび音声データ）を蓄積部に蓄積するとともに、このデータを高速再生可能な記録サーバとを備え、ネットワークを介した遠隔会議（テレビ会議）に用いられるネットワーク会議システムが開示されている。この特許文献１に記載のネットワーク会議システムでは、複数の会議端末のいずれか１つが途中から会議に参加する場合に、記憶サーバに蓄積された過去のデータを、途中参加の会議端末において高速再生（追いつき再生）するように構成されている。これにより、途中参加の出席者にも、参加時点よりも前の会議の内容を把握させることが可能になるので、途中参加の出席者も会議に積極的に参加することが可能になる。
【先行技術文献】
【特許文献】
【０００４】
【特許文献１】特許第４３６５２３９号公報
【発明の概要】
【発明が解決しようとする課題】
【０００５】
上記特許文献１に記載されたネットワーク会議システムは、会議に不参加の状態が所定時間存在する途中参加の出席者に対して、進行中の会議の内容をある程度把握させて会議に参加しやすくさせるシステムである。ここで、会議中に居眠りをした出席者についても、会議に不参加の状態が所定時間継続するために居眠り中の会議の内容を把握することができない場合があると考えられる。しかしながら、上記特許文献１に開示されたネットワーク会議システムでは、会議中に居眠りをした出席者に対する対処方法などに関して開示も示唆もされていない。
【０００６】
この発明は、上記のような課題を解決するためになされたものであり、この発明の１つの目的は、テレビ会議中に居眠りをした出席者がテレビ会議の内容を把握できなくなるのを抑制することが可能なテレビ会議端末を提供することである。
【課題を解決するための手段および発明の効果】
【０００７】
この発明の一の局面によるテレビ会議端末は、テレビ会議における自己側画像を撮像するための撮像部と、撮像部によって撮像された自己側画像に基づいて、テレビ会議における自己側の出席者の状態を検知する検知部とを備え、検知部の検知結果に基づいて自己側の出席者に居眠りの虞があると判断した際に、居眠りの虞があると判断された自己側の出席者を起こすように構成されている。
【０００８】
この発明の一の局面によるテレビ会議端末では、上記のように、検知部の検知結果に基づいて自己側の出席者に居眠りの虞があると判断した際に、居眠りの虞があると判断された自己側の出席者を起こすように構成することによって、居眠りをしている出席者においてテレビ会議に参加していない状態が長時間継続するのを抑制することができるので、居眠りをした出席者がテレビ会議の内容を把握できなくなるのを抑制することができる。
【０００９】
上記一の局面によるテレビ会議端末において、好ましくは、居眠りの虞があると判断された自己側の出席者を起こすための刺激を、自己側の出席者に対して出力する警告部をさらに備える。このように構成すれば、警告部からの刺激により、より確実に、居眠りをしている自己側の出席者を起こすことができる。
【００１０】
上記一の局面によるテレビ会議端末において、好ましくは、撮像部によって撮像された自己側画像を記憶する第１記憶部をさらに備え、自己側の出席者に居眠りの虞があると判断した際に、現在、撮像部により撮像されている自己側画像の代わりに、第１記憶部に記憶された、居眠りの虞があると判断される前の過去の自己側画像をテレビ会議の相手側端末に対して送信するように構成されている。このように構成すれば、テレビ会議における相手側端末側の出席者に対して、自己側の出席者に居眠りをしている出席者が存在することが知られてしまうのを抑制することができる。これにより、相手側端末側の出席者が居眠りをしている出席者の存在を認識することに起因してテレビ会議が中断するのを抑制することができる。
【００１１】
上記一の局面によるテレビ会議端末において、好ましくは、テレビ会議の相手側端末から受信した相手側情報を記憶する第２記憶部と、相手側情報を出力する出力部とをさらに備え、居眠りの虞があると判断された自己側の出席者を起こした後に、第２記憶部に記憶された、居眠りの虞があると判断された時点からの相手側情報を出力部から出力するように構成されている。このように構成すれば、居眠りの虞があると判断された時点からの相手側情報を居眠りしていた自己側の出席者に確認させることができるので、居眠りしていた自己側の出席者に居眠り中のテレビ会議の内容を確実に把握させることができる。これにより、テレビ会議中に居眠りをした出席者が居眠りから覚めた後にテレビ会議に積極的に参加しやすくさせることができる。
【００１２】
この場合、好ましくは、検知部の検知結果に基づいて居眠りの虞があると判断された自己側の出席者が起きたと判断した際に、第２記憶部に記憶された、居眠りの虞があると判断された時点からの相手側情報の出力部からの出力を開始するように構成されている。このように構成すれば、居眠りしていた自己側の出席者がテレビ会議端末によって起こされたと判断された時点から、直ちに、居眠りの虞があると判断された時点からの相手側情報を居眠りしていた自己側の出席者に確認させることができる。これにより、居眠りしていた自己側の出席者にテレビ会議の内容を迅速に把握させることができる。
【図面の簡単な説明】
【００１３】
【図１】本発明の一実施形態によるテレビ会議システムを自己側から示した図である。
【図２】本発明の一実施形態によるテレビ会議システムの構成を示したブロック図である。
【図３】本発明の一実施形態によるテレビ会議システムにおいて、居眠り状態の出席者が存在する状態を示した図である。
【図４】本発明の一実施形態によるテレビ会議システムにおいて、居眠り状態の出席者が存在する状態での、現在の自己側画像を示した図である。
【図５】本発明の一実施形態によるテレビ会議システムにおいて、居眠り状態の出席者が存在する状態での、相手側の表示部に表示される過去の自己側画像を示した図である。
【図６】本発明の一実施形態によるテレビ会議システムにおいて、居眠り状態の出席者を起こした後での、自己側の表示部における２画面表示を示した図である。
【図７】本発明の一実施形態による自己側のテレビ会議端末における居眠り検知機能に関する制御フローを説明するためのフローチャートである。
【発明を実施するための形態】
【００１４】
以下、本発明を具体化した実施形態を図面に基づいて説明する。
【００１５】
まず、図１〜図３および図６を参照して、本発明の一実施形態によるテレビ会議端末１を備えるテレビ会議システム１００の構成について説明する。
【００１６】
本発明の一実施形態によるテレビ会議システム１００では、図１および図２に示すように、４人の自己側の出席者２（図１参照）が出席している会議室３（図１参照）に設置された自己側のテレビ会議端末１と、４人の相手側の出席者が出席している会議室に設置された相手側のテレビ会議端末２００（図２参照）とが、電話通信網３００（図２参照）を介して接続されている。つまり、本実施形態のテレビ会議システム１００は、２地点間におけるテレビ会議を行うことが可能なように構成されている。なお、テレビ会議端末２００は、本発明の「相手側端末」の一例である。
【００１７】
相手側のテレビ会議端末２００には、図２に示すように、相手側の出席者を撮像して、相手側画像を取得するカメラ２１１と、相手側音声を取得するマイク２１２と、自己側のテレビ会議端末１から送信された自己側画像を表示する表示部２１３と、テレビ会議端末１から送信された自己側音声を出力するスピーカ２１４とが設けられている。また、テレビ会議端末２００には、テレビ会議端末２００全体を制御するＣＰＵ２１５と、電話通信網３００を介して、ＣＰＵ２１５から出力された現在の相手側画像および相手側音声を自己側のテレビ会議端末１に送信するとともに、テレビ会議端末１から受信した自己側画像および自己側音声をＣＰＵ２１５に出力するモデム２１６とが設けられている。
【００１８】
また、自己側のテレビ会議端末１には、自己側の出席者２（図１参照）を撮像して、自己側画像を取得するカメラ１１と、自己側音声を取得するマイク１２と、相手側のテレビ会議端末２００から送信された相手側画像を表示することが可能な表示部１３と、テレビ会議端末２００から送信された相手側音声を出力するスピーカ１４とが設けられている。また、表示部１３は、表示画像の中に別の画像を表示（２画面表示、図６参照）することが可能なように構成されている。なお、カメラ１１は、本発明の「撮像部」の一例であり、表示部１３は、本発明の「出力部」の一例である。また、スピーカ１４は、本発明の「警告部」および「出力部」の一例である。
【００１９】
また、自己側のテレビ会議端末１には、テレビ会議端末１全体を制御するＣＰＵ１５と、電話通信網３００を介して、ＣＰＵ１５から出力された自己側画像および自己側音声を相手側のテレビ会議端末２００に送信するとともに、テレビ会議端末２００から受信した相手側画像および相手側音声をＣＰＵ１５に出力するモデム１６とが設けられている。
【００２０】
また、自己側のテレビ会議端末１には、画像および音声を記憶するＨＤＤ１７と、自己側の出席者２（図１参照）における居眠りの有無を判別することが可能な居眠り検知部１８と、スピーカ１４に出力される音声とは異なる音声を出力することが可能なイヤホン出力部１９とがさらに設けられている。また、居眠り検知部１８は、マブタ開閉検知部２０と、時間を計測することが可能なタイマ２１と、画像処理部２２とから構成されている。また、イヤホン出力部１９は、テレビ会議端末１に接続されたイヤホン４に対して音声を出力するように構成されている。なお、居眠り検知部１８は、本発明の「検知部」の一例である。
【００２１】
ＨＤＤ１７は、カメラ１１において撮像された自己側画像と、テレビ会議端末２００から送信された相手側画像および相手側音声とを記憶することが可能なように構成されている。なお、ＨＤＤ１７は、本発明の「第１記憶部」および「第２記憶部」の一例である。
【００２２】
また、マブタ開閉検知部２０は、ＨＤＤ１７に記憶された自己側画像から、自己側の出席者２（図１参照）のマブタが開いた状態であるか、または、閉じた状態であるかを検知して、検知結果を画像処理部２２に伝えるように構成されている。
【００２３】
また、画像処理部２２は、マブタ開閉検知部２０とタイマ２１とに基づいて、自己側の出席者２の状態（居眠りの有無）を検知してＣＰＵ１５に伝えるように構成されている。具体的には、画像処理部２２は、自己側の出席者２のいずれかにおいて約７秒間以上約１０秒未満マブタが閉じられていると検知した際に、居眠りしそうな出席者２ａ（図３参照）が存在するという判別結果をＣＰＵ１５に伝えるように構成されている。また、画像処理部２２は、自己側の出席者２のいずれかにおいて約１０秒間以上マブタが閉じられていると検知した際に、完全に居眠りをしている出席者２ａが存在するという判別結果をＣＰＵ１５に伝えるように構成されている。
【００２４】
また、画像処理部２２は、マブタ開閉検知部２０に基づいて、完全に居眠りをしている出席者２ａのマブタが開かれたと検知した際に、この出席者２ａが起きたという判別結果をＣＰＵ１５に伝えるように構成されている。
【００２５】
ＣＰＵ１５は、通常のテレビ会議状態では、カメラ１１において撮像された現在の自己側画像と、マイク１２において取得された現在の自己側音声とをテレビ会議端末２００にモデム１６を介して送信するように構成されている。また、ＣＰＵ１５は、相手側のテレビ会議端末２００からモデム１６を介して受信された相手側画像１３ａを表示部１３に表示させるとともに、受信された相手側音声をスピーカ１４に出力させるように構成されている。また、ＣＰＵ１５は、カメラ１１において撮像された自己側画像を継続的にＨＤＤ１７に記憶させるように構成されている。なお、ＨＤＤ１７において自己側画像を記憶することが可能な容量がなくなった場合には、ＣＰＵ１５は、最も古い自己側画像から順に最新の自己側画像を上書きするように構成されている。
【００２６】
次に、図３〜図７を参照して、本発明の一実施形態による自己側のテレビ会議端末１の居眠り検知機能に関する制御フローについて説明する。
【００２７】
まず、上記した通常のテレビ会議状態から、図７に示すように、ステップＳ１において、ＣＰＵ１５により、自己側の出席者２の中に居眠りしそうな出席者２ａ（図３参照）が存在するか否かが判断される。具体的には、ＣＰＵ１５は、居眠り検知部１８の判別結果（自己側の出席者２（図３参照）のいずれかにおいて約７秒間以上約１０秒未満マブタが閉じられているか否か）に基づいて、居眠りしそうな出席者２ａの有無を判断する。そして、ステップＳ１において、居眠りしそうな出席者２ａが存在しないと判断された場合には、ステップＳ４に進む。
【００２８】
ここで、本実施形態では、ステップＳ１において、居眠りしそうな出席者２ａが存在すると判断された場合には、ステップＳ２において、ＣＰＵ１５により、マイク１２（図３参照）が自己側音声を取得しない状態（ミュート状態）にされるとともに、スピーカ１４（図３参照）から「寝ないでください」という警告音が出力される。この警告音により、居眠りしそうな出席者２ａを起こすことが可能である。また、マイク１２をミュート状態にすることにより、相手側の出席者に警告音が伝わるのを抑制することが可能である。なお、ステップＳ２での「寝ないでください」という警告音は、本発明の「刺激」の一例である。
【００２９】
また、ステップＳ２において、ＣＰＵ１５は、自己側の出席者２の発言の有無を判断し、自己側の出席者２が発言をしている最中ではなく、自己側の出席者２が発言していないと判断した際にのみ、マイク１２をミュート状態にして、スピーカ１４から警告音を出力させてもよい。これにより、自己側の出席者２の発言が不意に相手側の出席者に伝わらないのを抑制することが可能である。
【００３０】
その後、ステップＳ３において、ＣＰＵ１５により、相手側のテレビ会議端末２００から受信した相手側画像および相手側音声がＨＤＤ１７に継続的に記憶され始める。
【００３１】
そして、ステップＳ４において、自己側の出席者２の中に完全に居眠りをしている出席者２ａが存在するか否かが判断される。具体的には、ＣＰＵ１５は、居眠り検知部１８の判別結果（自己側の出席者２のいずれかにおいて約１０秒以上マブタが閉じられているか否か）に基づいて、完全に居眠りをしている出席者２ａの有無を判断する。ここで、完全に居眠りをしている出席者２ａが存在しないと判断される場合は、居眠りをしそうな出席者２ａがステップＳ２の警告音により起きた場合と、出席者２ａが居眠りしそうな状態であってもまだ約１０秒経過していない場合とがある。ステップＳ４において、完全に居眠りをしている出席者２ａが存在しないと判断された場合には、ステップＳ１に戻り、再度、居眠りしそうな出席者２ａが存在するか否かが判断される。
【００３２】
また、本実施形態では、ステップＳ４において、完全に居眠りをしている出席者２ａが存在すると判断された場合には、ステップＳ５において、ＣＰＵ１５により、現在の自己側画像２１３ａ（図４参照）に代えて、ＨＤＤ１７に記憶された居眠りする前の過去の自己側画像２１３ｂ（図５参照）が相手側のテレビ会議端末２００に対して送信される。
【００３３】
具体的には、ＣＰＵ１５により、図４に示す現在の自己側画像２１３ａ（完全に居眠りをしている出席者２ａが撮像されている画像）の送信に代えて、完全に居眠りをしている出席者２ａが起きている際の過去の自己側画像２１３ｂ（図５参照）がＨＤＤ１７から読み出されて、相手側のテレビ会議端末２００に対して送信される。これにより、図５に示すように、テレビ会議端末２００の表示部２１３においては、完全に居眠りをしている出席者２ａが起きている状態の自己側画像２１３ｂが表示される。そして、ステップＳ６において、ＣＰＵ１５により、図３に示すように、マイク１２がミュート状態にされるとともに、スピーカ１４から「起きてください」という警告音が出力される。この警告音により、完全に居眠りをしている出席者２ａを起こすことが可能である。なお、ステップＳ６での「起きてください」という警告音は、本発明の「刺激」の一例である。
【００３４】
その後、ステップＳ７において、ＣＰＵ１５により、完全に居眠りをしている出席者２ａが起きたか否かが判断される。具体的には、ＣＰＵ１５は、居眠り検知部１８の判別結果（完全に居眠りをしている出席者２ａのマブタが開かれたか否か）に基づいて判断する。ステップＳ７において、完全に居眠りをしている出席者２ａが起きていないと判断された場合には、ステップＳ６に戻り、ＣＰＵ１５により、スピーカ１４から「起きてください」という警告音が出力される。このステップＳ６とステップＳ７とを繰り返すことにより、完全に居眠りをしている出席者２ａに対して起きるまで警告音を出力し続けることが可能である。
【００３５】
そして、ステップＳ７において、完全に居眠りをしている出席者２ａが起きたと判断された場合には、ステップＳ８において、ＣＰＵ１５により、ＨＤＤ１７に記憶された居眠りする前の過去の自己側画像２１３ｂ（図５参照）に代えて、居眠りをしていた出席者２ａが起きた状態の現在の自己側画像が相手側のテレビ会議端末２００に対して送信される。
【００３６】
また、本実施形態では、ステップＳ９において、ＣＰＵ１５により、図６に示すように、相手側のテレビ会議端末２００から送信された現在の相手側画像１３ａおよび相手側音声が、それぞれ、表示部１３およびスピーカ１４から出力されると同時に、ＨＤＤ１７に記憶された過去の相手側画像１３ｂおよび相手側音声が、それぞれ、表示部１３およびイヤホン４から出力（再生）し始められる。なお、再生される過去の相手側画像１３ｂおよび相手側音声は、居眠りしそうな出席者２ａが存在すると判断された時点からＨＤＤ１７に記憶され始めた（ステップＳ３参照）映像および音声である。また、過去の相手側画像および相手側音声は、それぞれ、表示部１３およびイヤホン４において、約１．５倍の速度で早送り再生される。なお、相手側画像１３ａおよび１３ｂならび相手側音声は、本発明の「相手側情報」の一例である。
【００３７】
この際、図６に示すように、表示部１３の略全体の表示領域に渡って、相手側のテレビ会議端末２００から送信された現在の相手側画像１３ａが表示されるとともに、表示部１３における左下の一部の表示領域において、ＨＤＤ１７に記憶された過去の相手側画像１３ｂが現在の相手側画像１３ａと区別可能なように表示（２画面表示）される。また、過去の相手側音声をイヤホン４から出力することによって、スピーカ１４から、現在の相手側音声と過去の相手側音声との両方を同時に再生する場合と異なり、イヤホン４を装着した自己側の出席者（居眠りしていた出席者２ａ（図５参照））だけに過去の相手側音声を聞かせることが可能である。
【００３８】
その後、ステップＳ１０において、ＣＰＵ１５により、ＨＤＤ１７に記憶された過去の相手側画像１３ｂおよび相手側音声の再生が終了したか否かが判断される。この際、ＣＰＵ１５は、ＨＤＤ１７に記憶された過去の相手側画像１３ｂおよび相手側音声と、テレビ会議端末２００から送信された現在の相手側画像１３ａおよび相手側音声との時間差（タイムラグ）がなくなったと判断した際に、過去の相手側画像１３ｂおよび相手側音声の再生が終了したと判断する。そして、ステップＳ１０において、過去の相手側画像および相手側音声の再生が終了したと判断されるまでこの判断が繰り返される。
【００３９】
その後、ステップＳ１０において、過去の相手側画像および相手側音声の再生が終了したと判断された場合には、ステップＳ１１において、ＣＰＵ１５により、相手側のテレビ会議端末２００から受信した相手側画像および相手側音声をＨＤＤ１７に記憶させる処理を停止させる。そして、ＣＰＵ１５は、通常のテレビ会議状態に戻ることにより、テレビ会議端末１のＣＰＵ１５における居眠り検知機能に関する制御フローが終了される。
【００４０】
本実施形態では、上記のように、居眠り検知部１８の判別結果に基づいて、居眠りしそうな出席者２ａが存在すると判断した場合には、スピーカ１４から「寝ないでください」という警告音を出力するように構成する。また、居眠り検知部１８の判別結果に基づいて、完全に居眠りをしている出席者２ａが存在すると判断した場合には、スピーカ１４から「起きてください」という警告音を出力するように構成する。これにより、居眠り状態の出席者２ａ（居眠りしそうな出席者２ａおよび完全に居眠りをしている出席者２ａ）においてテレビ会議に参加していない状態が長時間継続するのを抑制することができるので、居眠りをした出席者２ａがテレビ会議の内容を把握できなくなるのを抑制することができる。また、スピーカ１４から警告音を出力することにより、より確実に、居眠り状態の出席者２ａを起こすことができる。
【００４１】
また、本実施形態では、上記のように、完全に居眠りをしている出席者２ａが存在すると判断された場合に、現在の自己側画像２１３ａに代えて、ＨＤＤ１７に記憶された居眠りする前の過去の自己側画像２１３ｂを相手側のテレビ会議端末２００に対して送信するように切り替えることによって、テレビ会議における相手側のテレビ会議端末２００側の出席者に対して、自己側の出席者２に完全に居眠りをしている出席者２ａが存在することが知られてしまうのを抑制することができる。これにより、相手側の出席者が完全に居眠りをしている出席者２ａの存在を認識することに起因してテレビ会議が中断するのを抑制することができる。
【００４２】
また、本実施形態では、上記のように、完全に居眠りをしている出席者２ａが起きたと判断された時点から、居眠りしそうな出席者２ａが存在すると判断された時点からの過去の相手側画像１３ｂおよび相手側音声を、それぞれ、表示部１３およびイヤホン４から出力（再生）し始めることによって、居眠りしていた出席者２ａがテレビ会議端末１によって起こされたと判断された時点から、直ちに、居眠りしそうな出席者２ａが存在すると判断された時点からの過去の相手側画像１３ｂおよび相手側音声を居眠りしていた出席者２ａに確認させることができる。これにより、居眠りしていた出席者２ａに居眠り中のテレビ会議の内容を確実に、かつ、迅速に把握させることができる。この結果、テレビ会議中に居眠りをした出席者２ａが居眠りから覚めた後にテレビ会議に積極的に参加しやすくさせることができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、本発明の「テレビ会議端末」を、テレビ会議システム１００を構成する自己側のテレビ会議端末１に適用した例を示したが、本発明はこれに限られない。本発明では、本発明の「テレビ会議端末」を、相手側のテレビ会議端末２００に適用してもよい。また、テレビ会議システムを、３つ以上のテレビ会議端末を備えるように構成してもよい。この場合、各々のテレビ会議端末において出席者の居眠りを起こすことが可能なように構成してもよい。
【００４５】
また、上記実施形態では、居眠りしそうな出席者２ａが存在する場合と、完全に居眠りをしている出席者２ａが存在する場合とのそれぞれにおいて、スピーカ１４から警告音を出力するよう構成した例を示したが、本発明はこれに限られない。たとえば、完全に居眠りをしている出席者が存在すると判断した場合にのみ、警告音を出力するように構成してもよい。これにより、マイクをミュート状態にする回数を減少させることができるので、起きている自己側の出席者による発言が相手側の出席者に不意に伝わらない場合が生じるのを抑制することが可能である。
【００４６】
また、上記実施形態では、マブタ開閉検知部２０の検知結果に基づいて、画像処理部２２において自己側の出席者２の状態（居眠りの有無）を判別した例を示したが、本発明はこれに限られない。本発明では、自己側の出席者における視線の方向を検知したり、自己側の出席者の体勢（うつ伏せになっているなど）を検知したりすることによって、自己側の出席者の状態を判別してもよい。
【００４７】
また、上記実施形態では、居眠り状態の出席者２ａ（居眠りしそうな出席者２ａおよび完全に居眠りをしている出席者２ａ）が存在する場合にスピーカ１４から警告音（刺激）を出力した例を示したが、本発明はこれに限られない。本発明では、居眠り状態の出席者に対する本発明の「刺激」として、警告音のような聴覚的な刺激以外でもよい。たとえば、出席者全員に対して体に電極を装着させておき、居眠りの有無に応じて当該出席者に電気的な刺激を与えるように構成してもよい。また、表示部に、「居眠りの虞のある出席者がいます」という警告文を表示させることによって、居眠り状態の出席者以外の起きている出席者に居眠り状態の出席者を起こさせるように構成してもよい。この場合、電気的な刺激や警告文の表示は、警告音をスピーカから出力する場合と異なりマイクに自己側音声として取得されることがないので、刺激出力時にマイクをミュート状態にする必要がない。
【００４８】
また、上記実施形態では、完全に居眠りをしている出席者２ａが存在する場合に、現在の自己側画像２１３ａ（図４参照）に代えて、ＨＤＤ１７に記憶された居眠りする前の過去の自己側画像２１３ｂ（図５参照）を相手側のテレビ会議端末２００に対して送信した例を示したが、本発明はこれに限られない。本発明では、現在の自己側画像において完全に居眠りをしている出席者の画像（映像）の部分のみを切り取って、この部分に出席者の居眠り前の画像を置き換えるような処理を施して、この画像処理された自己側画像を相手側のテレビ会議端末に対して送信するように構成してもよい。これにより、完全に居眠りをしている出席者以外の他の出席者の部分においては、現在の自己側画像を相手側のテレビ会議端末に対して送信することが可能である。
【００４９】
また、上記実施形態では、完全に居眠りをしている出席者２ａが起きた時点から、ＨＤＤ１７に記憶された過去の相手側画像１３ｂおよび相手側音声を、それぞれ、表示部１３およびイヤホン４において自動的に出力（再生）し始める例を示したが、本発明はこれに限られない。本発明では、自己側のテレビ会議端末を、過去の相手側画像および相手側音声の再生に関する操作を受け付けるように構成して、居眠りから覚めた出席者の操作に基づいて、過去の相手側画像および相手側音声を再生し始めるように構成してもよい。これにより、会議に復帰した出席者の都合に合わせて、過去の相手側画像および相手側音声を再生し始めることが可能である。
【００５０】
また、上記実施形態では、表示部１３の略全体の表示領域に渡って、相手側のテレビ会議端末２００から送信された現在の相手側画像１３ａが表示するとともに、表示部１３における左下の一部の表示領域において、ＨＤＤ１７に記憶された過去の相手側画像１３ｂが現在の相手側画像１３ａと区別可能なように表示した例を示したが、本発明はこれに限られない。本発明では、現在の相手側画像が表示される表示部と、ＨＤＤに記憶された過去の相手側画像が表示される表示部とをそれぞれ別途設けてもよい。
【００５１】
また、上記実施形態では、居眠りしそうな出席者２ａが存在すると判断された時点から、過去の相手側画像１３ｂおよび相手側音声をＨＤＤ１７に記憶し始めた例を示したが、本発明はこれに限られない。本発明では、完全に居眠りしている出席者が存在すると判断された時点から、過去の相手側画像および相手側音声をＨＤＤに記憶してもよい。これにより、過去の相手側画像および相手側音声を記憶する時間を短くすることが可能である。
【００５２】
また、上記実施形態では、過去の相手側画像１３ｂおよび相手側音声を、それぞれ、表示部１３およびイヤホン４において出力（再生）する例を示したが、本発明はこれに限られない。本発明では、過去の相手側画像または相手側音声のいずれか一方のみを再生するように構成してもよい。
【００５３】
また、上記実施形態では、過去の相手側画像および相手側音声の再生が終了したと判断した際に、相手側のテレビ会議端末２００から受信した相手側画像および相手側音声をＨＤＤ１７に記憶させる処理を停止させた例を示したが、本発明はこれに限られない。本発明では、居眠り状態の出席者が起きたと判断した際に、相手側画像および相手側音声をＨＤＤに記憶させる処理を停止させてもよい。これにより、過去の相手側画像および相手側音声と、現在の相手側画像および相手側音声との時間差（タイムラグ）をＣＰＵに判断させる必要がない。
【符号の説明】
【００５４】
１  テレビ会議端末
２、２ａ  自己側の出席者
１１  カメラ（撮像部）
１３  表示部（出力部）
１３ａ、１３ｂ  相手側画像（相手側情報）
１４  スピーカ（警告部、出力部）
１７  ＨＤＤ（第１記憶部、第２記憶部）
１８  居眠り検知部（検知部）
２００  テレビ会議端末（相手側端末）
２１３ａ、２１３ｂ  自己側画像
【図１】
2012065211.tif 000003
【図２】
2012065211.tif 000004
【図３】
2012065211.tif 000005
【図４】
2012065211.tif 000006
【図５】
2012065211.tif 000007
【図６】
2012065211.tif 000008
【図７】
2012065211.tif 000009